(57)【要約】  本発明は、前面、裏面、及び縁面を備えた発泡ポリスチレンで形成された第１のパネルと、前面、裏面、及び縁面を備えた発泡ポリスチレンで形成された第２のパネルとを含む建築物システムを開示し、第１のパネル及び第２のパネルは、建築物の一部分を形成するのに用いられる。一部の実施形態では、第１のパネルは舌部を有し、第２のパネルは溝を有し、舌部及び溝は、第１のパネルと第２のパネルを互いに連結するのに用いられる。一部の実施形態では、舌部及び溝は、第１のパネルの舌部に装着されたラッチと第２のパネルの溝に装着されたラッチ受けとで互いに連結される。第１のパネル及び第２のパネルは、発泡ポリスチレンを成形することによって形成することができる。【選択図】図２
2013503278.tif 000002
【特許請求の範囲】
【請求項１】
建築物システムであって、
前面、裏面、及び縁面を有する第１のパネルと、
前記面のうちの１つの面上の舌部と、
前面、裏面、及び縁面を有する第２のパネルと、
前記第１のパネルの前記舌部を受けるための前記第２のパネル内の溝と、
前記舌部を前記溝に連結するロッキング機構と、
を含み、
前記第１及び第２のパネルは、建築物の一部分を形成するのに用いられる、
ことを特徴とするシステム。
【請求項２】
前記第１のパネルの前記舌部は、前記面の長さを延び、前記第２のパネルの前記溝の長さが、該舌部の該長さに対応することを特徴とする請求項１に記載の建築物システム。
【請求項３】
前記第１及び第２のパネルは、発泡ポリスチレンで形成されることを特徴とする請求項１に記載の建築物システム。
【請求項４】
前記第１及び第２のパネルは、成形されるか又は押し出されることを特徴とする請求項１に記載の建築物システム。
【請求項５】
前記第１及び第２のパネルの少なくとも一方が、該パネルと一体の構造化要素を含み、該構造化要素は、前記縁面と実質的に平行に延びることを特徴とする請求項１に記載の建築物システム。
【請求項６】
前記構造化要素は、軽量鋼で製造されることを特徴とする請求項５に記載の建築物システム。
【請求項７】
前記第１及び第２のパネルの少なくとも一方が、該パネル内に所定の間隔で設定された複数の構造化要素を含み、該複数の構造化要素は、前記縁面と実質的に平行に延びることを特徴とする請求項１に記載の建築物システム。
【請求項８】
末端キャップが、前記縁面を包み込むことを特徴とする請求項１に記載の建築物システム。
【請求項９】
前記末端キャップは、軽量鋼で形成されることを特徴とする請求項８に記載の建築物システム。
【請求項１０】
前記第１及び第２のパネルの少なくとも一方の前記前面及び前記裏面は、それらの間に空洞を形成することを特徴とする請求項１に記載の建築物システム。
【請求項１１】
材料が、前記前面と前記裏面の間の前記パネル内に成形されることを特徴とする請求項１に記載の建築物システム。
【請求項１２】
前記第１のパネルは、その面のうちの１つの面上に２つの舌部を有し、前記第２のパネルは、その面のうちの１つの面上に２つの溝を有することを特徴とする請求項１に記載の建築物システム。
【請求項１３】
前記２つの舌部は、互いと平行であり、かつ前記面の長さを延び、前記溝の長さが、該舌部の該長さに対応し、該溝は、前記第１のパネルが前記第２のパネルに連結された状態で該舌部を受けるように構造化されることを特徴とする請求項１２に記載の建築物システム。
【請求項１４】
前記面のうちの１つが、煉瓦、羽目板、木材、及びスタッコのうちの１つのように見えるように成形されることを特徴とする請求項１に記載の建築物システム。
【請求項１５】
前記パネルは、前記前面及び裏面に開口部を形成することを特徴とする請求項１に記載の建築物システム。
【請求項１６】
前記ロッキング機構は、
前記舌部と一体のラッチと、
前記溝と一体のラッチ受けと、
を更に含み、
前記ラッチ及び前記ラッチ受けは、前記舌部を前記溝に反復的かつ取外し可能に連結するように構成される、
ことを特徴とする請求項１に記載の建築物システム。
【請求項１７】
前記パネルの各々を覆う外部コーティング、
を更に含み、
前記パネルが互いに連結されて建築物を形成する状態の下で、それぞれの該パネルの前記外部コーティングは、互いに接触して該建築物の全外面を実質的に覆う、
ことを特徴とする請求項１に記載の建築物システム。
【請求項１８】
互いに組み立てて建築物を建設するように構成された複数のパネル、
を含み、
前記複数のパネルの各々が、前面、裏面、及び２組の対向する縁面を有し、
前記複数のパネルの各々が、前記面のうちの１つの面上に舌部及び前記面のうちの別の面上に溝を有し、
前記複数のパネルの各々が、該パネルを少なくとも床パネル、壁パネル、又は屋根パネルとして識別するための識別特徴を有し、
前記識別されたパネルは、使用者が適切なパネルを互いに取外し可能に連結して前記建築物を形成するのを助けるためにシステム内でラベル付けさる、
ことを特徴とする建築物システム。
【請求項１９】
前記複数のパネルの各々が、該パネルと一体であって該パネル内に所定の間隔で設定された複数の構造化要素を含み、該複数の構造化要素は、前記縁面のうちの１つと実質的に平行に延びることを特徴とする請求項１８に記載の建築物システム。
【請求項２０】
前記複数のパネルの各々が、発泡ポリスチレンで形成され、前記複数の構造化要素の各々が、軽量鋼で形成されることを特徴とする請求項１８に記載の建築物システム。
【発明の詳細な説明】
【技術分野】
【０００１】
本発明は、一般的に、建築物構成要素に関し、より具体的には、建築物の壁、床、及び天井を作成するために用いられるパネルに関する。
【背景技術】
【０００２】
建築構造体は、典型的には、木材、煉瓦、スタッコ、及び鋼、並びに他の材料から現場で建設される。木材は、その入手の容易さ、その頑丈さ、及び容易にそれを形成及び接続して異なる形状の建築構造体を作ることができるために常に好まれている。木材は、家屋及び小さい産業用建築物のための建築物の壁及び建築物の屋根を作成するためのベースとして依然として用いられている最も一般的な要素である。煉瓦及びコンクリートブロックも、家屋及び商業建築物の壁に一般的に用いられている。鋼は、一部の家屋及び殆どの商業用建設において構造化要素として用いられている。近年、建設業界は、建築物建設技術と、建築物の建設中及びその使用中の両方において環境に優しい材料との開発に努力している。
【０００３】
木材の使用は、それが樹木という天然資源を用い、木材が切断される時に多くの廃物が生じ、かつその一部が建築現場に廃棄されるために推奨できない可能性がある。煉瓦及び鋼の両方に関して、これらの基本的建築構造体を形成するためのエネルギ消費を低減し、かつモルタル構成要素及び鋼構成要素の製作にリサイクルした材料を用いようとする動きがある。製造するのに最小限の資源及びエネルギを用い、建築現場での材料浪費の量を低減し、かつ建築構造体に組み立てた状態でエネルギ効率の良い建築物構成要素に対する必要性が存在する。
【０００４】
典型的な建築物建設技術は、木材、鋼、煉瓦、又はブロックの基本的要素をそれらが切断、形成、及び建築物に接続される建築現場へ送る段階が含まれる。これは、建築物を建設するために建築現場で高レベルの人的資源及びエネルギ消費を要求する可能性があり、かつ原材料の廃棄をもたらす可能性がある。製造中に大きさ及び形状を補正するように形成され、次に、現場で迅速かつ容易に接続して建築物を作成することができ、結果として建築現場での資源利用及び労力を最小にすることができる建築物構成要素に対する必要性が存在する。
【０００５】
一時避難所の建設及び維持管理にもいくつかの問題がある。テントが用いられる場合、テントは、エネルギ効率が悪く、壁は頑丈ではない。木造構造体が一時避難所として用いられる場合、一時的な建築物は、最初の使用後に構造体が解体された状態で建築材料から分離することが困難である釘及び他の接続手段のために再使用することが困難である。建築材料の多くが廃棄され、構造体は、一度しか使用できないことが多い。迅速かつ容易に組み立てることができ、かつ何度も繰返して再使用することができる頑健でエネルギ効率の良い一時的構造体を作成するために用いることができる建築物構成要素に対する必要性が存在する。
【発明の概要】
【発明が解決しようとする課題】
【０００６】
従って、必要な大きさ及び形状に工場で製造され、建築物を作成して維持するのに必要なエネルギ資源を最小にし、一時避難所の場合に再使用することができ、かつ建築物に組み立てるのに必要な労力を最小にする建築物構成要素を提案する。
【課題を解決するための手段】
【０００７】
本発明は、建築物構成要素に関し、より具体的には、建築物の壁、床、及び屋根を形成するのに用いられるパネルに関する。これらのパネルから建設される建築物は、家屋、事務所、保管施設、又はあらゆる他の種類の建築構造体とすることができる。本発明は、前面、裏面、及び縁面を備えた発泡ポリスチレンで形成された第１のパネルと、前面、裏面、及び縁面を備えた発泡ポリスチレンで形成された第２のパネルとを含む建築物システムを開示し、第１のパネル及び第２のパネルは、建築物の一部分を形成するのに用いられる。一部の実施形態では、第１のパネルは、舌部を有し、第２のパネルは、溝を有し、舌部及び溝は、第１のパネルと第２のパネルを互いに連結するのに用いられる。一部の実施形態では、舌部及び溝は、第１のパネルの舌部に装着されたラッチ及び第２のパネルの溝に装着されたラッチ受けで互いに連結される。第１のパネル及び第２のパネルは、発泡ポリスチレンを成形することによって形成することができる。一部の実施形態では、第１及び第２のパネルは、他の成形可能な材料を成形することによって形成される。一部の実施形態では、構造化要素が、第１又は第２のパネル内に成形される。構造化要素は、軽量鋼で形成することができる。
【０００８】
本発明は、前面、裏面、及び縁面を備えた第１のパネルを含む建築物システムを開示し、パネルは、面のうちの１つの面上に舌部を有する。また、前面、裏面、及び縁面を備えた第２のパネルを開示し、第２のパネルは、第１のパネルからの舌部を受けるためにその面のうちの１つに形成された溝を有する。舌部に位置付けられたロックが、溝に装着されたロック受けに連結し、第１のパネルを第２のパネルに連結する。第１又は第２のパネルは、成形可能な材料から成形することによって形成することができる。一部の実施形態では、第１又は第２のパネルは、発泡ポリスチレン材料で形成される。第１又は第２のパネルは、パネル内に成形された構造化要素を有することができる。この構造化要素は、軽量鋼で形成することができる。第１又は第２のパネルは、縁部を覆って配置された末端キャップを有することができる。末端キャップは、軽量鋼で形成することができる。一部の実施形態では、金網が、パネル内に成形される。一部の実施形態では、第１のパネルは、面上に２つの舌部を有し、第２のパネルは、面上に２つの溝を有し、２つの舌部は、２つの溝と嵌合して第１及び第２のパネルを互いに連結する。
【０００９】
建築物のための床システムを建設する段階と、次に複数の発泡ポリスチレンパネルから壁システムを組み立てる段階とを含む建築物を建設する方法を開示し、第１のパネルが、その面のうちの１つの面上に舌部を有し、第２のパネルが、その面のうちの１つの面上に溝を有し、舌部が、溝と連結して２つのパネルを接合する。壁システムは、床システムに接続され、その後に、屋根システムを組み立てる段階及び屋根システムを壁システムに接続する段階が続く。扉が壁システムに取り付けられて建築物を形成する。本方法は、多くの他の段階を含むことができる。一部の実施形態では、窓が追加される。一部の実施形態では、付加的な扉が追加される。一部の実施形態では、壁システムを含む発泡ポリスチレンパネルは、成形によって形成される。一部の実施形態では、床システムは、発泡ポリスチレンパネルから構成される。一部の実施形態では、屋根システムは、発泡ポリスチレンパネルから構成される。一部の実施形態では、発泡ポリスチレンパネルは、舌部のラッチ及び溝のラッチ受けで互いに連結することができる。
【００１０】
本発明の上記及び他の特徴、並びに利点は、添付の図面に示すような本発明の特定的な実施形態の以下のより詳細な説明から明らかであろう。
【図面の簡単な説明】
【００１１】
【図１】本発明による建築物システム１０２の構成要素の一実施形態であるパネル１００の上面図、斜視図、及び側面図である。
【図２】本発明によるパネル１００及び１００ａの斜視図である。
【図３】舌部１１２及び溝１１４を用いて接続された図２のパネル１００及び１００ａの斜視図である。
【図４】末端キャップ１２０が追加された図１のパネル１００の上面図、斜視図、及び側面図である。
【図５ａ】ロックアセンブリ１２９が追加された本発明によるパネル１００の上面図である。
【図５ｂ】ロックアセンブリ１２９が追加された本発明によるパネル１００の側面図である。
【図５ｃ】本発明によるパネル１００に用いられるロックアセンブリ１２９の斜視図である。
【図５ｄ】ロックアセンブリ１２９の回転ラッチ１３６及びラッチ受け１３８の端面図及び側面図である。
【図６ａ】本発明によるパネル１００ａの付加的な斜視図である。
【図６ｂ】本発明によるパネル１００の付加的な斜視図である。
【図７ａ】本発明によるパネル１００ｂの斜視図である。
【図７ｂ】本発明によるパネル１００ｃの斜視図である。
【図８】本発明によるパネル１００ｄの上面図、斜視図、及び側面図である。
【図９ａ】ヒンジ１６０で互いに接続されたパネル１００ｄの実施形態としての建築物システム１０２の構成要素を示す図である。
【図９ｂ】舌部１１２、溝１１４、及びロックアセンブリ１２９の回転ラッチ１３６及びラッチ受け１３８を示す建築物システム１０２のパネル１００ｄの実施形態を示す図である。
【図９ｃ】舌部１１２、溝１１４、及びロックアセンブリ１２９の回転ラッチ１３６及びラッチ受け１３８を示す建築物システム１０２のパネル１００ｄの実施形態を示す図である。
【図９ｄ】内側層１５４を備えたパネル１００ｄの実施形態を示す図である。
【図１０ａ】外部コーティング１５０を含むパネル１００ｅの実施形態としての建築物システム１０２の構成要素を示す図である。
【図１０ｂ】外部コーティング１５０を含むパネル１００ｅの実施形態としての建築物システム１０２の構成要素を示す図である。
【図１１ａ】壁対屋根接続として接続されたパネル１００ｅの実施形態としての建築物システム１０２の構成要素を示す図である。
【図１１ｂ】壁対屋根接続として接続されたパネル１００ｅの実施形態としての建築物システム１０２の構成要素を示す図である。
【図１１ｃ】壁対屋根接続として接続されたパネル１００ｅの実施形態としての建築物システム１０２の構成要素を示す図である。
【図１１ｄ】壁対屋根接続として接続されたパネル１００ｅの実施形態としての建築物システム１０２の構成要素を示す図である。
【図１１ｅ】壁対屋根接続として接続されたパネル１００ｅの実施形態としての建築物システム１０２の構成要素を示す図である。
【図１２ａ】床システム１４１を形成するために互いに接続されたパネル１００の実施形態としての建築物システム１０２の構成要素を示す図である。
【図１２ｂ】床システム１４１に接続された壁システム１４２を形成するために互いに接続されたパネル１００の実施形態としての建築物システム１０２の構成要素を示す図である。
【図１２ｃ】壁システム１４２に接続された屋根システム１４３を形成するために互いに接続されたパネル１００の実施形態としての建築物システム１０２の構成要素を示す図である。
【図１２ｄ】窓１８２及び扉１８３が取り付けられた建築物１４０を形成するために互いに接続されたパネル１００の実施形態としての建築物システム１０２の構成要素を示す図である。
【図１３】壁対屋根接続として接続されたパネル１００ｅの実施形態としての建築物システム１０２の構成要素を示す図である。
【図１４】パネル１００ｄの実施形態としての建築物システム１０２の構成要素と、パネル１００ｄの様々な実施形態を壁対床接続、壁対壁接続、壁対屋根接続、及び他の実施形態で接続することができる方法とを示す図である。
【図１５】本発明により建築物を建設する方法２００を示す図である。
【発明を実施するための形態】
【００１２】
上述のように、本発明の実施形態は、建築物構成要素に関し、より具体的には、建築物の壁、床、及び屋根を形成するのに用いられるパネルに関する。
【００１３】
従来の建築物の建設材料及び建設技術は、高レベルの廃棄物及びエネルギの効率の悪さをもたらす。構造体を構築するための木材の使用は、天然資源を低減し、かつ適合するように木片が切断される時に木材の多くが現場で浪費される。現場建設技術は、高い労働コストを必要とし、かつ建築物の寿命後の建築材料の再使用率は低い。建設業界には、建設材料及び構成要素の製造から建築物の建設にかけての建設チェーン全体にわたって、建築物の有用寿命にわたって、かつ建築物の寿命が終了した後の材料の効率的なリサイクル及び再使用により、資源をより効率的に使用する建築物構成要素に対する必要性が存在する。一時的な構造体及び避難所には、設定可能、迅速に配備可能、エネルギ効率が良くかつ何度も再使用可能な建築物構成要素も特に必要である。本発明は、これらの問題に対する解決法を提供し、エネルギを節約しかつリサイクルされる原料物質から製造される建築物を建設するのに用いられるパネルを開示する。本発明によるパネルは、モジュール式で拡張可能かつ特注可能な建設のために製造され、これらのパネルから構成された得られる構造体は、エネルギ効率が良く使用者に優しい長寿命の構造体を形成する。
【００１４】
図１に、本発明による建築物システム１０２の構成要素であるパネル１００としての本発明の実施形態を示している。図１ａに、本発明によるパネル１００の上面図を示している。図１ｂに、パネル１００の斜視図を示し、図１ｃに、パネル１００の側面図を示している。
【００１５】
図１は、裏面１２２、前面１２４、及び４つの縁面１２５、１２６、１２７、並びに１２８を有するパネル１００の実施形態を示している。パネル１００は、縁部１２７上に舌部１１２、及び縁部１２８上に溝１１４を有する。パネル１００は、４つの構造化要素１１６も含む。
【００１６】
この実施形態では、パネル１００は、発泡ポリスチレン（ＥＰＳ）材料から構成される。発泡ポリスチレンを用いることにより、成形によってパネルを形成することが可能になる。これらのパネルは、湾曲構造体及び多層構造体を含むあらゆる大きさ及び形状の建築物を作成するためにあらゆる大きさ及び形状に形成することができる。発泡ポリスチレンを用いることにより、優れた断熱機能を備えたパネルが得られる。パネルは軽量であり、壁システム、床システム、又は屋根システムに用いることができる。ＥＰＳは、建築物の有用寿命が終わった後にリサイクルすることができる。パネル１００が建築物に適切な重量、強度、及び熱特性を有するように、この実施形態では、パネル１００は、ＥＰＳ材料で製造される。実際に、パネル１００は、建築物の壁に用いられるパネル１００における少なくともＲ１２の断熱及び建築物の床又は屋根に用いられるパネル１００における少なくともＲ１５の断熱を含む断熱特性を有する。この実施形態では、パネル１００は、ＥＰＳから形成されるが、プラスチック、繊維、発泡体、又はあらゆる他の適切な材料を用いてパネル１００を形成することができる。一部の実施形態では、パネル１００は、発泡ポリスチレン以外の材料から形成される。一部の実施形態では、本発明によるパネル１００は、Ｎｅｏｐｏｒ（登録商標）材料から製造することができる。一部の実施形態では、パネル１００は、対衝撃材料から製造することができる。
【００１７】
パネル１００は、パネル１００によって形成される建築物に適切なあらゆる寸法に製造することができる。特定的な実施形態では、パネル１００は、厚みが５．５インチ、幅が４８インチ、高さ又は長さが９６インチである。他の実施形態では、パネル１００は、他の寸法を有する。パネル１００の厚みは、形成される建築物の熱的要件及び機械的要件を提供するように選択される。例えば、一部の家屋では、パネル１００は、高い断熱性、高い機械的強度、及び長い寿命を提供するのに十分な厚みを有することになる。パネル１００が一時避難所又は一時的建築物に用いられる場合のような他の実施形態では、パネル１００が軽量で、容易に運搬して組み立てることができるように、より薄いパネルが望ましい場合がある。
【００１８】
この実施形態のパネル１００は、製造しやすいようにＥＰＳから成形されるが、他の実施形態では、パネル１００は、他の手段を用いて正確な寸法に押し出し成形するか又は形成することができる。本発明の一部の実施形態では、パネル１００は、パネル１００内に空洞を有する。これは、軽量のパネル１００をもたらすことになる。
【００１９】
図１に示すようなパネル１００は、縁部１２７上に舌部１１２、及び縁部１２８上に溝１１４を有する。パネル１００の舌部１１２は、それが図２及び図３に示すように隣接するパネル１００の溝１１４と連結することになるように形成される。この文書で用いる舌部は、嵌合構造体内の対応する溝に連結して２つの構造体を互いに連結する構造体からの突起部分であるとして定められる。また溝は、舌部のための対応する嵌合チャンネルであるとして定められる。これは、建築産業において用いられる舌部及び溝の共通の定義である。この実施形態では、舌部１１２及び溝１１４を矩形形状の構造体として示しているが、２つのパネルを反復可能又は非反復可能に互いに連結させることになるあらゆる形状を用いることができる。一部の実施形態では、舌部１１２は、円形形状又は長円形形状とすることができる。一部の実施形態では、舌部１１２は、隆起又は湾曲を備えた形状を有することができる。一部の実施形態では、舌部１１２は複数の突起部分を含むことができ、溝１１４は複数のチャンネルを有することができる。図１に示す実施形態では、舌部１１２は、単一の突起部分を有し、溝１１４は、単一のチャンネルを有する。
【００２０】
パネル１００は、パネル内に構造上の止め金具の機能を提供する構造化要素１１６を含む。この実施形態では、構造化要素１１６は、パネル１００に構造支持体を追加し、かつパネル１００の表及び裏に他の構造体を取り付けるか又は装着するための面を提供するために軽量鋼で製造される。構造化要素１１６は、木造フレーム建築構造体に用いられる時には、止め金具の代わりになる。パネル１００は、図示のような４つの方形管状の構造化要素１１６を有し、２つは前面１２４に沿い、２つは裏面１２２に沿っている。構造化要素１１６は、成形中にパネル１００に形成することができる。この実施形態では、構造化要素１１６は軽量鋼で形成されるが、一般的に、構造化要素１１６は、構造的一体性を追加して装着又は取り付けのための壁、天井、又は床のための止め金具として役立つ機能を提供することになる金属、プラスチック、木材、又はあらゆる他の材料のようなあらゆる適切な材料で形成することができる。構造化要素は、後に示す図面に見られるように、多くの異なる形態を取ることができ、パネル１００の構造に対してあらゆる望ましい構成で配置することができる。成形法からパネル１００を作成することにより、パネル１００内の要素の形状及び配置をパネル１００の製造中に柔軟かつ設定可能にすることが可能になる。
【００２１】
パネル１００は、必要に応じて、パネル１００の構造体内に成形された他の品目を有することができる。チューブ又はチャンネルをパネル１００内に成形し、ワイヤ又はパイプを通すことができる。金網をパネル１００に埋め込み、パネル１００を用いて組み立てられることになる建築物の必要に応じて、電磁妨害（ＥＭＩ）遮蔽、無線周波数（ＲＦ）遮蔽、及び／又は赤外線（ＩＲ）遮蔽を提供することができる。パネル１００は、設置又は通過させることになる窓、換気口、パイプ等のための開口部又は穴を備えて成形することができる。モールドは、あらゆる形状、大きさ、及び外形に製造することができるので、パネル１００の形態は、木質又は煉瓦の建築材料の場合のように出発原料によって制限を受けることがない。
【００２２】
パネル１００は、１つの縁部上に舌部１１２を含み、別の縁部上に溝１１４を備えた平坦な方形のパネルとして図１に示している。しかし、本発明によるパネル１００は、建築物において意図される用途に応じて多くの異なる形状とすることができる。一部の実施形態におけるパネル１００は、方形、矩形、三角形、又は特定の構造体を建築するのに必要な何らかの他の形状である。パネル１００は、縁部のうちのいずれか、前面１２４、又は裏面１２２を含む複数の面上に舌部１１２を有することができる。パネル１００は、縁部のうちのいずれか、前面１２４、又は裏面１２２を含む複数の面上に溝１１４を有することができる。
【００２３】
パネル１００は、平坦である必要はない。図２及び図３に、パネル１００とパネル１００ａとを互いに嵌合させてコーナ１１８を備えた建築物の壁の一部分を形成する方法を示している。パネル１００ａは、壁にコーナを形成することができるコーナ１１８を有する。コーナ１８８は、屋根、床、又はあらゆる他の建築物の面にもコーナを形成することができる。パネル１００ａは、コーナ１１８に強度及び構造的一体性を追加するために、コーナ１１８の内部の中に成形された構造化要素１１６ａ及びコーナ１１８の外部の中に成形された構造化要素１１６を有する。パネル１００ａは、９０度のコーナ１１８を示しているが、一部の実施形態では、一般的に０度から１８０度の範囲に及ぶ異なる角度を有するコーナをパネル１００内に成形することができる。組み立てられる建築物に必要などのような角度もパネル１００内に成形することができる。パネル１００は、必要に応じて、建築物のいずれかの部分を形成するのに必要な特定の大きさ及び形状に構成することができることを理解すべきである。
【００２４】
図２及び図３に示すように、隣接するパネル１００の舌部１１２は、パネル１００の溝１１４内に装着される。一部の実施形態では、舌部１１２及び溝１１４は、この連結が元に戻すことのできない１回限りの連結になるように形成することができる。一部の実施形態では、舌部１１２及び溝１１４は、その連結が反復可能かつ可逆性になるように形成される。他の実施形態では、舌部１１２及び溝１１４は、取り付けは永続的ではないが元に戻すのは困難である場合があるように連結される。連結の永続性は、建築物及びその用途によって判断される。パネルの寿命期間中に何度も組み立てて及び解体することができる一時的構造体に関しては、可逆性の舌部１１２及び溝１１４に対する連結を用いることができる。永続的構造体に関しては、一部の実施形態では、舌部１１２及び溝１１４を永続的な方法で連結することが望ましい場合がある。建築物が長期にわたるものではあるが変更が望ましいこともある他の実施形態では、連結は、耐久性がありかつ可逆性ではあるが、必ずしも迅速に元に戻すことができるとは限らないものとすることができる。
【００２５】
図４に、末端キャップ１２０を備えたパネル１００を含む本発明による建築物システム１０２の構成要素を示している。図４ａに、２つの末端キャップ１２０の断面を示している。この実施形態の末端キャップ１２０は、軽量鋼で形成され、パネル１００の縁部１２７及び１２８を保護している。図４ｂに、それぞれの端部１２７及び１２８に装着された末端キャップ１２０を備えたパネル１００の上縁図を示している。図４ｃ及び図４ｄに、縁部１２７及び１２８に装着された末端キャップ１２０を備えたパネル１００の斜視図及び側面図をそれぞれ示している。縁部１２７及び１２８の舌部１１２、並びに溝１１４は、小さい構造幅及びそれらが出荷中及び組み立て中に受ける応力により、パネル１００の最も弱い要素とすることができる。末端キャップ１２０は、欠け、破損、曲げ、成形誤り等から舌部１１２及び溝１１４を保護し、組み立て後には構造強度を追加する。末端キャップ１２０は、製造中にパネル１００内に形成することができ、パネル１００を形成した後にパネル１００に追加することもできる。末端キャップ１２０は、パネル１００の輪郭に適合するのに必要なあらゆる形状とすることができる。この実施形態の末端キャップ１２０は、軽量鋼で製造されるが、末端キャップ１２０は、パネル１００の縁部を保護することができるあらゆる材料で形成することができる。末端キャップ１２０は、プラスチック、金属、又は他の耐久性を有する材料で製造することができる。末端キャップ１２０は、縁部１２７及び１２８に沿ってパネル１００の全長にわたることができ、代替的に、末端キャップ１２０は、縁部１２７及び１２８の一部のみを覆うことができる。末端キャップ１２０が縁部１２７及び１２８の長さにわたる場合、末端キャップ１２０は、以下でより詳細に説明するラッチ１３６及びラッチ受け１３８を収容するための開口部をそこに有することができる。
【００２６】
図５に、ロックアセンブリ１２９を備えたパネル１００を含む本発明による建築物システム１０２の構成要素を示している。この実施形態では、ロックアセンブリ１２９は、「Ａｌｌｅｇｉｓ  Ｃｏｒｐｏｒａｔｉｏｎ」が提供しているＲ２−０２６７−０２ロックである。他の実施形態では、異なるロックアセンブリ１２９が用いられる。図５ａに、ロックアセンブリ１２９で連結された２つのパネル１００の上面図を示している。図５ｂに、ロックアセンブリ１２９で連結された２つのパネル１００の側面図を示している。図５ｃに、ロックアセンブリ１２９の斜視図を示し、図５ｄに、ロックアセンブリ１２９の垂直断面を示している。ロックアセンブリ１２９は、舌部１１２と溝１１４とを連結するのに用いられる。一部の実施形態では、ロックアセンブリ１２９は、舌部１１２と溝１１４とを反復可能に連結することができる。この実施形態では、ロックアセンブリ１２９は、回転タンブラー１３１とラッチアクチュエータ１３５とを含むラッチ１３６と、ラッチ受け１３８とを含む。パネル１００は、ラッチ穴１３２と、ラッチ受け穴１３４と、ロック接近穴１３０とを含む（図１０参照）。ラッチ１３６は、ラッチ穴１３２において溝１１４のすぐ隣にパネル１００内に位置決めされる。ラッチ受け１３８は、パネル１００内の舌部１１２のラッチ受け穴１３４内に位置決めされる（図１０参照）。ラッチ１３６及びラッチ受け１３８は、舌部１１２と溝１１４とが組み立てのために嵌合される時に、ロック接近穴１３０を通じてラッチ１３６に接近してラッチ１３６を作動させることができ、それによってラッチ１３６がラッチ受け１３８に連結し、それによって舌部１１２を溝１１４に連結することになるようにパネル１００内に位置決めされる。このようにして、ラッチ１３６は、隣接するパネル１００のラッチ受け１３８に連結し、隣接するパネル１００を互いに連結する。このようにして、舌部１１２が溝１１４に連結され、隣接するパネル１００を互いに連結する。図５には、３つが２つの側部の各々にある６つのラッチ１３６及び６つのラッチ受け１３８を含むパネル１００を示しているが、あらゆる適切な縁部に沿ってあらゆる数のラッチ１３６及びラッチ受け１３８を用いてパネル１００を互いに連結することができる。図５には、両方とも平坦な２つのパネル１００を互いに連結するのに用いられているラッチ１３６及びラッチ受け１３８を示しているが、ラッチ１３６及びラッチ受け１３８は、図２及び図３のコーナパネル１００ａ又はあらゆる他の種類又は形状のパネル１００のようなあらゆる種類又は形状のパネル１００と共に用いることができる。
【００２７】
図６ａ及び図６ｂに、ＥＰＳで形成されたパネル１００及び１００ａと、パネル１００及び１００ａ内に成形された舌部１１２及び溝１１４と、パネル１００及び１００ａ内に成形された構造化要素１１６とを含む本発明によるパネル１００及び１００ａとしての建築物システム１０２の構成要素の付加的な図を示している。
【００２８】
図７ａ及び図７ｂに、コーナパネル１００ｂとフラットパネル１００ｃとを含む本発明によるパネル１００の更に別の実施形態を示している。パネル１００ｂ及び１００ｃは、縁部１２７及び１２８上に舌部１１２及び溝１１４を備えて成形したＥＰＳで形成することができる。パネル１００ｂ及び１００ｄは、方形管状構造化要素１１６、コーナ構造化要素１１６ａ、及びｖ字形構造化要素１１６ｂから構成された構造化要素１１６を有する。パネル１００ｂ及び１００ｃは、パネル１００及び１００ａよりも小さい厚みを有することができる。パネル１００は、特定の建築物に必要な強度、重量、及び熱的かつ構造的特性に応じて、あらゆる適切な厚みに製造することができることを理解すべきである。パネル１００ｂ及び１００ｃは、より軽くかつより薄いパネルが望ましい時に用いることができる。あらゆる種類の構造化要素１１６又はその配置を用いて、望ましい構造要件又は取り付け要件を提供することができる。
【００２９】
図８に、縁部１２７上に２つの舌部１１２を有し、縁部１２８上に２つの溝１１４を有するパネル１００ｄを含む本発明による建築物システム１０２の付加的な構成要素を示している。複数の舌部１１２及び溝１１４が、隣接するパネル１００ｄの連結に強度と耐久性を追加する。図８ａにパネル１００ｄの上縁図、図８ｂにパネル１００ｄの斜視図、及び図８ｃにパネル１００ｄの側面図を示している。図示のようなパネル１００ｄは、ロックアセンブリ１２９を含む。一部の実施形態では、パネル１００ｄは、ロックアセンブリ１２９を含まない。図９ａに、舌部１１２、溝１１４、及びロックアセンブリ１２９を用いて互いに連結された複数のパネル１００ｄを示している。一部の実施形態では、パネル１００ｄは、図９ａに示すような末端キャップ１２０を含むことができる。パネル１００ｄは、パネル１００ｄ内に成形された構造化要素１１６ｃを含む。構造化要素１１６ｃは、上述の構造化要素１１６、１１６ａ、及び１１６ｂとは異なる形状を有する。構造化要素１１６ｃは、図示のような翼形状を有する。一部の実施形態では、パネル１００ｄは、他の図面に示す構造化要素１１６、１１６ａ、又は１１６ｂを含むことができ、異なる形状の構造化要素１１６を含むことができる。構造化要素１１６は、必要に応じて多くの異なる形状及び形態を取ることができることを理解すべきである。
【００３０】
本発明によるパネル１００は、あらゆる形状に形成して多くの方法で接続し、構造体を作成することができる。パネル１００は、壁、建築物の床又は屋根、又はあらゆる他の構造体を形成するために用いることができる。パネル１００は、形成される建築物の熱的必要性及び機械的必要性にかなう厚みを備えて形成することができる。パネル１００は、必要な取付具、支持体、及び強度を提供するために多くの異なる数及び形状の構造化要素１１６を埋め込んで形成することができる。
【００３１】
図９ａには、パネル１００ｄを含みかつヒンジ１６０で互いに連結された本発明による建築物システム１０２の構成要素の付加的な実施形態を示している。ヒンジ１６０は、パネル１００ｄがコーナで互いに対して回転することを可能にしている。ヒンジ１６０は、２つのパネル１００を連結して壁対壁コーナを形成するために用いることができる。ヒンジ１６０は、２つのパネル１００を連結して壁対床コーナを形成するためにも用いることもできる。ヒンジ１６０は、２つのパネル１００を互いに連結して扉対壁コーナを形成するためにも用いることができる。ヒンジ１６０は、２つのパネル１００を互いに連結して壁対屋根コーナを形成するためにも用いることができる。ヒンジ１６０は、複数のパネル１００を互いに連結することができる方法の一例に過ぎない。舌部１１２及び溝１１４を用いて複数のパネル１００を互いに連結することができ、ヒンジ１６０を用いて複数のパネルを互いに連結することができる。一部の実施形態では、異なる連結手段を用いて、複数のパネルを互いに連結することができる。これらの連結手段には、ネジ、接着剤、ボルト、釘、ステープル、ロック、ヒンジなどを含めることができる。
【００３２】
図９ｂ及び図９ｃに、舌部１１２、溝１１４、及びラッチ１３６、並びにラッチ受け１３８を含むロックアセンブリ１２９で互いに連結されたパネル１００ｄの更に別の実施形態を示している。
【００３３】
図９ｄに示すように、本発明によるパネル１００は、１つ又はそれよりも多くの内側層１５４を備えて製造することができる。図９ｄに、単一の内側層１５４を備えたパネル１００ｄを示している。内側層１５４は、多くの異なる材料で製造することができる。一部の実施形態では、内側層１５４は、空気とすることができる。一部の実施形態では、内側層１５４は、ＤｕＰｏｎｔによって製造されたＫｅｖｌａｒ（登録商標）とすることができる。一部の実施形態では、内側層１５４は、プラスチック、ＥＰＳ、ゴム、又は他の材料とすることができる。一部の実施形態では、内側層１５４は、対衝撃材料とすることができる。図９ｄには、単一の内側層１５４を示しているが、一部の実施形態は、複数の内側層１５４を有する。
【００３４】
図１０に、外面に施された外部コーティング１５０を有するパネル１００ｅとしての建築物システム１０２の構成要素の実施形態を示している。外部コーティング１５０は、パネル１００の外側を保護し、パネル１００の寿命期間中に欠け、摩耗、へこみ、劣化、及び人間、虫、並びに動物がもたらす損傷から表面を保護するために追加することができる。外部コーティング１５０は、パネル１００ｅの防火機能を改善するために耐火コーティングとすることができ、又はそれを含むことができる。一部の実施形態では、外部コーティング１５０は、対衝撃材料とすることができる。図１０に示すように、外部コーティングは、パネル１００の最上部を覆って付加することができ、また一部の実施形態では、末端キャップ１２０の少なくとも一部を覆って付加することができる。外部コーティング１５０は、硬いコーティングであってもよく、柔軟なコーティングとすることもできる。外部コーティング１５０は、第１のパネル１００上の外部コーティング１５０が第１のパネル１００に接続された第２のパネル１００上の外部コーティング１５０と接触することができるようにパネル１００を覆って付加することができる。例えば、図１０ａに示すように、外部コーティング１５０は、溝１１４の上を除いて水平パネル１００ｅ上に形成することができる。外部コーティング１５０は、縁面及び舌部の上を除いて図１０ａに示す垂直パネル１００ｅ上に形成することができる。得られる建築物が外部コーティング１５０で完全に覆われるように、垂直パネル１００ｅの舌部１１２が水平パネル１００ｅの溝１１４内に配置されてロックアセンブリ１２９が作動している時には、垂直パネル１００ｅの外部コーティング１５０が水平パネル１００ｅの外部材料１５０と接触することができる。図１０ｂに、ラッチ１３６と、ラッチ穴１３２と、ラッチ受け１３８と、ラッチ受け穴１３４と、ロック接近穴１３０とを含むロックアセンブリ１２９を示す拡大断面を示している。舌部１１２が溝１１４に挿入された状態で、ロックツールでロック接近穴１３０を用いてラッチ１３６を作動させ、ラッチ１３６をラッチ受け１３８に連結して２つのパネル１００ｅの連結を維持することができる。図１０に示す連結は、壁対壁連結、床対壁連結、壁対屋根連結、又は別の種類のパネル１００間の連結とすることができる。図１０には、溝１１４がパネル１００の末端の縁面にある必要がなくなる方法も示している。図１０では、溝１１４は面１２２上にあり、舌部１１２は縁部１２７上にある。舌部１１２及び溝１１４は、パネル１００のいずれの面にも存在することができ、面のうちのいずれとの間でも連結を作り出すことができる。
【００３５】
図１１に、パネル１００ｅを含む本発明による建築物システム１０２の付加的な構成要素と、屋根が傾斜している場合に２つのパネル１００ｅを接続して壁対屋根接続を行うことができる方法とを示している。図１１ａには、舌部１１２、溝１１４、及びロックアセンブリ１２９を通じて接続された２つのパネル１００ｅの断面を示している。１つのパネル１００ｅが建築物の傾斜した屋根であることができるように、２つのパネル１００ｅの縁部には角度が付いている。どのような形状及び大きさでも必要とされる建築構造体を形成するために、本発明によるパネル１００はどのような形状、大きさ、又は角度でも有することができることは明らかである。図１１ｂに、ロックアセンブリ１２９を備えたコーナ区画の拡大図を示している。図１１ｃには、屋根の一部として用いられるパネル１００ｅの内部上に用いられる「ｃ」チャンネル１７１の拡大図を示している。「ｃ」チャンネル１７１は調節可能であり、建築構造体の構造的一体性及び強度、特に屋根及び隣接壁の構造的一体性を追加することができる。「ｃ」チャンネル１７１は、蝶ナット１７２とスロット１７３を含む。屋根の内部に沿って延びる「ｃ」チャンネル１７１の長さは、蝶ナット１７２及びスロット１７３を用いて調節することができる。図１１ｄに、パネル１００ｅ内に成形された支持体部分１７４の拡大図を示している。支持体部分１７４は、支持体部分１７４をパネル１００ｅに連結する３つの止め金具１７５を有する。支持体部分１７４は、蝶ナット１７２及びスロット１７３によって「ｃ」チャンネル１７１に接続される。壁パネル１００ｅを屋根パネル１００ｅに連結した後に、蝶ナット１７２を調節してスロット１７３内で締め付けて、壁パネル１００ｅと屋根パネル１００ｅの間に付加的な取り付け及び構造的一体性を付与することができる。例えば、支持体部分１７４から参照される「ｃ」チャンネル１７１のピッチは、スロット１７３内の蝶ナット１７２を用いて調節することができる。
【００３６】
図１２に、建築物１４０を作成するために用いられる建築物システム１０２の構成要素を示している。図１２ａに、本発明によるパネル１００を用いて床システム１４１を作成する方法を示している。図１２ｂに、床システム１４１に接続された壁システム１４２を作成するために用いられる本発明によるパネル１００を示している。図１２ｃに、屋根システム１４３を作成するために用いられる本発明によるパネル１００を示している。図１２ｄには、扉１８３及び窓１８２が追加された後にパネル１００から構築された建築物１４０を示している。
【００３７】
図１２ａに示すような床システム１４１を作成するためには、用地が準備されて必要であれば整地され、次にパネル１００が適切な大きさに配置される。用いる場合、各パネル１００は、舌部１１２及び溝１１４、並びにロックアセンブリ１２９を用いて隣接するパネル１００に接続される。図示のようなパネル１００は、先に示して説明したようなパネル１００ａ、１００ｂ、１００ｃ、１００ｄ、又は１００ｅを含むパネル１００のいずれかの実施形態とすることができることを理解すべきである。床１４１に用いられる一部のパネル１００は、異なる実施形態とすることができる。パネル１００のあらゆる組合せ及び数を用いて望ましい形状、厚み、及び大きさの床１４１を作成することができる。
【００３８】
壁システム１４２は、図１２ｂに示すような隣接するパネル１００を連結することによって作られる。隣接するパネル１００は、用いる場合、舌部１１２を溝１１４に接続してロックアセンブリ１２９を作動させることによって連結することができる。図１２ｂの全てのパネルがラベル付きパネル１００であるわけではないが、各パネルは、本発明によるパネル１００とすることができることを理解すべきである。各パネルは、パネル１００ａ、１００ｂ、１００ｃ、１００ｄ、１００ｅ、又はこれらのパネルのあらゆる組合せのような先に説明して示したパネル１００の実施形態とすることができる。一部のパネルは、本発明によるパネル１００の異なる実施形態とすることができる。壁システム１４２は、用地上に水平に置いた状態で組み立てて接続され、次に、垂直方向に起こして床システム１４１及び隣接する壁システム１４２に接続することができる。代替的に、壁システム１４２は、コーナ部分として用いられるパネル１００で開始し、パネル１００と床システム１４１との間で舌部１１２と溝１１４を接続し、引き続き各次に続くパネル１００を取り付けて壁システム１４２を作成することによって所定の位置に組み立てることもできる。
【００３９】
屋根システム１４３は、パネル１００とは別に組み立てて、次に持ち上げて壁システム１４２に接続することができる。代替的に、屋根１４３は、壁システム１４２上で所定の位置に組み立てることもできる。図１２ｃの全てのパネルがラベル付きパネル１００であるわけではないが、各パネルは、本発明によるパネル１００とすることができることを理解すべきである。各パネルは、パネル１００ａ、１００ｂ、１００ｃ、１００ｄ、１００ｅ、又はこれらのパネルのあらゆる組合せのような先に説明して示したパネル１００の実施形態とすることができる。各舌部１１２は、適切な溝１１４に連結され、用いる場合にロックシステム１２９が作動される。
【００４０】
図１２ｄに示すような本発明による完成した建築物１４０は、扉１８３及び窓１８２が追加された後の迅速に配備可能な建築物１４０の実施形態である。複数のパネル１００から構成される建築物１４０のこの特定的な実施形態は、最小限の労働コストで迅速かつ効率的に建設することができる。パネル１００は、工場で製造されて大きさ及び形状を補正され、直ちに設置することができる状態で受け取られる。更に、パネル１００の各々は、床パネル、壁パネル、屋根パネル、扉パネル、窓パネル、又は建築物１４０内で他に適用可能なパネルとして識別することができる。また、使用者がパネルを建築物１４０に組み立てるのを助けるために、パネル１００の各々には、建築物システム内にラベルを付けることができる。各パネル１００は、建築物１４０内で設定された位置を有することができ、またこの位置は、例えば、カラーコード又は数値コードでパネル１００上に表示されて組み立てを容易にすることができる。それによって現場での材料浪費が最小にされ、かつ建設が加速される。図１２ｄには特定の大きさ及び形状の建築物１４０を示しているが、建築物１４０の大きさ及び形状は設定可能であることを理解すべきである。更に、パネル１００を用いた内部壁システムを追加して、内部空間をあらゆる数の部屋及び構造体に分けることができる。統合電力システムを追加して、建築物１４０に電力を供給することができる。パネル１００は、耐久性があり、価格が手ごろで、かつエネルギ効率の良いあらゆる占有面積の建築物を建設するために用いることができる。図１２ｄに示すような建築物１４０の有用寿命が終了した時は、それを迅速かつ容易に解体して、パネル１００を別の構造体に再度用いることができる。パネル１００の有用寿命が終了した後に、パネル１００は、リサイクルすることができる。再使用及びリサイクルの容易さは、パネル１００のモジュール設計、長寿命材料、及び一体型連結構造によってパネル１００内に設計される。
【００４１】
パネル１００は、家屋及び住宅、商業建築物、事務所、保管施設等として使用される構造体を建設するために用いることができる。パネル１００から建設される構造体は、一時的な構造体又は長期にわたる構造体とすることができる。本明細書に提供する建築物システム１０２の構成要素、及び建築物システム１０２及びパネル１００から形成される構造体の例は、可能性を網羅するものではない。多くの他の実施形態が可能である。例えば、壁又は他の建築構造体は、複数の層のパネル１００で形成することができる。それは、作られている構造体に構造的一体性及び熱特性を追加することになる。一部の実施形態では、パネル１００の層は、間に空隙を設けて互いに連結することができる。一部の実施形態では、この空隙は、発泡体又は付加的なＥＰＳのような材料で更に充填することができる。
【００４２】
図１３には、パネル１００から建設された建築物に付加的な構造体を装着する機能を含むためのパネル末端キャップ装着のためのアセンブリ１６５の使用を含む建築物システム１０２の構成要素の付加的な実施形態を示している。図１３には、ロックアセンブリ１２９及び舌部１１２、並びに溝１１４を用いて壁対屋根建設に接続された２つのパネル１００ｅの断面を示している。パネル縁部を覆う末端キャップ１２０を有することに加えて、パネル末端キャップ装着のためのアセンブリ１６５が、２つのパネル１００ｅの連結された縁部間に挿入される。パネル末端キャップ装着のためのアセンブリ１６５は、多くの異なる構造体をパネル１００ｅに装着するために用いることができる。この実施形態では、パネル末端キャップ装着のためのアセンブリ１６５は、構造体に対して内部のトラス１６６のためのマウントを提供し、かつ構造体の外側に装着される屋上構造体１６４のためのマウントを提供する。屋上構造体１６４は、屋上構造体装着のためのアーム１６３を用いてパネル末端キャップ装着のためのアセンブリ１６５に装着される。屋上構造体１６４は、以下に限定するものではないが、アンテナ、太陽電池パネル、日よけ構造体、取水装置などを含む多くの異なる品目とすることができる。パネル１００は、パネル１００から建設された建築物の運用、安全、及び快適性に必要な品目を接続及び装着するために異なる形態の装着構造体を含むように構成することができることを理解すべきである。
【００４３】
図１４には、末端キャップ１２０及びロックアセンブリ１２９を含むパネル１００ｄ及び付属品の複数の実施形態を示している。壁対壁接続、壁対床接続、壁対屋根接続、及びその他のために複数のパネル１００ｄ間で連結を行う方法を示す様々なパネル１００ｄの実施形態が示されている。
【００４４】
図１５には、床システムを組み立てる段階２０１と、複数の発泡ポリスチレンパネルから壁システムを組み立てる段階２０２とを含み、第１のパネルが第１の面上に舌部を有し、第２のパネルが第２の面上に溝を有し、舌部及び溝が第１のパネルを第２のパネルに連結する本発明による建築物を建設する方法２００を示している。方法２００は、壁システムを床システムに接続する段階２０３、屋根システムを組み立てる段階２０４、屋根システムを壁システムに接続する段階２０５、及び扉を壁システムに取り付けて建築物を形成する段階２０６も含む。本発明による方法２００は、多くの他の段階を含むことができる。段階２０１は、パネル１００ａ、１００ｂ、１００ｃ、１００ｄ、１００ｅ、又は本発明によるパネル１００の異なる実施形態を含む床システムの構成要素としてのパネル１００のいずれかの実施形態を用いる段階を含むことができる。段階２０１は、一部の実施形態では、舌部１１２及び溝１１４、又はロックアセンブリ１２９を用いて複数のパネル１００を接続する段階を含むことができる。段階２０１は、パネル１００の複数の実施形態を用いて床システムを組み立てる段階を含むことができる。
【００４５】
段階２０２は、パネル１００ａ、１００ｂ、１００ｃ、１００ｄ、１００ｅ、又は本発明によるパネル１００の異なる実施形態を含むパネル１００のいずれかの実施形態を用いて壁システムを組み立てる段階を含むことができる。段階２０２は、一部の実施形態では、ロックアセンブリ１２９を用いて複数のパネル１００を接続する段階を含むことができる。段階２０２は、壁システムの構成要素としてパネル１００の複数の実施形態を用いる段階を含むことができる。段階２０２は、壁システムを通過するか又は壁システム内に存在する必要がある窓、パイプ、電子機器、又は他の品目のための開口部を有する本発明によるパネル１００を用いる段階を含むことができる。
【００４６】
段階２０３は、舌部１１２及び溝１１４を用いて壁システムを床システムに接続する段階を含むことができる。段階２０３は、一部の実施形態では、ロックアセンブリ１２９を用いて壁システムを床システムに接続する段階を含むことができる。一部の実施形態では、壁システムを床システムに接続する他の手段が用いられる。
【００４７】
段階２０４は、本発明によるパネル１００を用いて屋根システムを組み立てる段階を含むことができる。段階２０４は、パネル１００ａ、１００ｂ、１００ｃ、１００ｄ、１００ｅ、又は本発明によるパネル１００の異なる実施形態を含むパネル１００のいずれかの実施形態を用いて屋根システムを組み立てる段階を含むことができる。段階２０４は、一部の実施形態では、舌部１１２及び溝１１４を用いて複数のパネル１００を接続する段階を含むことができる。段階２０４は、一部の実施形態では、ロックアセンブリ１２９を用いて複数のパネル１００を接続する段階を含むことができる。段階２０４は、パネル１００の複数の実施形態を用いて屋根システムを組み立てる段階を含むことができる。段階２０４は、屋根システムを壁システムとは別に組み立てて、次に屋根システムを壁システムの上に持ち上げて、段階２０５と同様にそれらを互いに接続する段階を含むことができる。他の実施形態では、屋根システムを壁システムに接続する段階２０５は、段階２０４で屋根システムが組み立てられている時に達成することができる。この実施形態では、屋根システムは、壁システムの上に所定の位置に組み立てられる。
【００４８】
段階２０５は、舌部１１２及び溝１１４を用いて屋根システムを壁システムに接続する段階を含むことができる。段階２０５は、ロックアセンブリ１２９を用いて屋根システムを壁システムに接続する段階を含むことができる。一部の実施形態では、本発明により、他の連結手段を用いて屋根システムが壁システムに接続される。
【００４９】
本発明による方法２００は、多くの他の段階を含むことができる。方法２００は、建築物に窓を追加する段階を含むことができる。方法２００は、パネル１００の実施形態を用いて建築物内に壁を追加する段階を含むことができる。方法２００は、統合電力システムを建築物に追加する段階を含むことができる。方法２００は、建築物に配管システムを追加する段階を含むことができる。方法２００は、建築物に空気処理システムを追加する段階を含むことができる。
【００５０】
本明細書に説明した実施形態及び実施例は、本発明並びにその実際的な用途を最も良く説明するためにかつそれによって当業者が本発明を製造して使用することができるように呈示したものである。しかし、当業者は、以上の説明及び実施例が単に例証であり、かつ例示のために呈示したものであることを認識するであろう。列挙した説明は、網羅的であるように意図したものではなく、本発明を開示した通りの形態に制限するように意図したものでもない。以下の特許請求の範囲の精神及び範囲から逸脱することなく上述の教示を踏まえて多くの修正及び変形が可能である。
【符号の説明】
【００５１】
１００  パネル
１０２  建築物システム
１１２  舌部
１１４  溝
１１６  構造化要素
【図１ａ】
2013503278.tif 000003
【図１ｂ】
2013503278.tif 000004
【図１ｃ】
2013503278.tif 000005
【図２】
2013503278.tif 000006
【図３】
2013503278.tif 000007
【図４ａ】
2013503278.tif 000008
【図４ｂ】
2013503278.tif 000009
【図４ｃ】
2013503278.tif 000010
【図４ｄ】
2013503278.tif 000011
【図５ａ】
2013503278.tif 000012
【図５ｂ】
2013503278.tif 000013
【図５ｃ】
2013503278.tif 000014
【図５ｄ】
2013503278.tif 000015
【図６ａ】
2013503278.tif 000016
【図６ｂ】
2013503278.tif 000017
【図７ａ】
2013503278.tif 000018
【図７ｂ】
2013503278.tif 000019
【図８ａ】
2013503278.tif 000020
【図８ｂ】
2013503278.tif 000021
【図８ｃ】
2013503278.tif 000022
【図９ａ】
2013503278.tif 000023
【図９ｂ】
2013503278.tif 000024
【図９ｃ】
2013503278.tif 000025
【図９ｄ】
2013503278.tif 000026
【図１０ａ−１０ｂ】
2013503278.tif 000027
【図１１ａ−１１ｅ】
2013503278.tif 000028
【図１２ａ】
2013503278.tif 000029
【図１２ｂ】
2013503278.tif 000030
【図１２ｃ】
2013503278.tif 000031
【図１２ｄ】
2013503278.tif 000032
【図１３】
2013503278.tif 000033
【図１４】
2013503278.tif 000034
【図１５】
2013503278.tif 000035
【国際調査報告】
2013503278.tif 000036